(57)【要約】  本発明は、スマート機器の分野に属し、ビデオモニターリング方法、装置、プログラム及び記録媒体に関する。前記の方法は、外部機器から送信された無線信号を受信するステップと、無線信号に付された機器マークと、バインディングしたウェアラブルデバイスの機器マークとが同じであるか否かを検出するステップと、機器マークと当該ウェアラブルデバイスの機器マークとが同じである場合、ビデオモニターリングを停止するステップと、を含む。本発明は、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。【選択図】図１
2017506865.tif 000002
【特許請求の範囲】
【請求項１】
外部機器から送信された無線信号を受信するステップと、
前記無線信号に付された機器マークと、バインディングしたウェアラブルデバイスの機器マークとが同じであるか否かを検出するステップと、
前記機器マークと前記ウェアラブルデバイスの機器マークとが同じである場合、ビデオモニターリングを停止するステップと、を含むことを特徴とする、
ビデオモニターリング方法。
【請求項２】
前記無線信号に付された機器マークと、バインディングしたウェアラブルデバイスの機器マークとが同じであるか否かを検出するステップは、
前記無線信号の強度が閾値よりも大きいか否かを検出するステップと、
前記無線信号の強度が前記閾値よりも大きい場合、前記無線信号に付された機器マークとバインディングしたウェアラブルデバイスの機器マークとが同じであるか否かを検出するステップと、を含むことを特徴とする、
請求項１に記載の方法。
【請求項３】
前記機器マークと前記ウェアラブルデバイスの機器マークとが異なることを検出した場合、ビデオモニターリングを行うステップ、
又は、
前記無線信号の強度が前記閾値よりも小さいことを検出した場合、ビデオモニターリングを行うステップをさらに含むことを特徴とする、
請求項２に記載の方法。
【請求項４】
前記ウェアラブルデバイスとバインディング関係を予め構築するステップを、さらに含むことを特徴とする、請求項１〜３のいずれか１項に記載の方法。
【請求項５】
前記ウェアラブルデバイスとバインディング関係を予め構築するステップは、
サーバーへモニターリング機器の機器マークを送信し、前記サーバーは、前記モニターリング機器の機器マークに基づいて、前記モニターリング機器と同一のユーザのアカウントをバインディングした前記ウェアラブルデバイスの機器マークを検索するために用いられるステップと、
前記サーバーから送信された前記ウェアラブルデバイスの機器マークを受信するステップと、
前記ウェアラブルデバイスの機器マークを前記バインディングしたウェアラブルデバイスの機器マークとして記憶させるステップとを含むことを特徴とする、
請求項４に記載の方法。
【請求項６】
前記ウェアラブルデバイスとバインディング関係を予め構築するステップは、
モバイル端末から送信されるバインディング情報を受信し、前記バインディング情報は、少なくとも１つの前記ウェアラブルデバイスの機器マークを含み、前記バインディング情報は、前記モバイル端末によりバインディング関係の設定インターフェースに受信された設定操作に基づいて送信されたステップと、
前記ウェアラブルデバイスの機器マークを前記バインディングしたウェアラブルデバイスの機器マークとして記憶させるステップと、を含むことを特徴とする、
請求項４に記載の方法。
【請求項７】
外部機器から送信された無線信号を受信するように配置される信号受信モジュールと、
前記信号受信モジュールで受信された前記無線信号に付された機器マークと、バインディングしたウェアラブルデバイスの機器マークとが同じであるか否かを検出するように配置されるマーク検出モジュールと、
前記マーク検出モジュールが前記機器マークと前記ウェアラブルデバイスの機器マークとが同じであることを検出した場合、ビデオモニターリングを停止するように配置されるモニターリング停止モジュールと、を備えることを特徴とする、
ビデオモニターリング装置。
【請求項８】
前記マーク検出モジュールは、
前記信号受信モジュールで受信された前記無線信号の強度が閾値よりも大きいか否か検出するように配置される閾値検出サブモジュールと、
前記閾値検出サブモジュールにより、前記無線信号の強度が前記閾値よりも大きいことを検出した場合、前記無線信号に付された機器マークとバインディングしたウェアラブルデバイスの機器マークとが同じであるか否かを検出するように配置されるマーク検出サブモジュールと、を備えることを特徴とする、
請求項７に記載の装置。
【請求項９】
前記マーク検出モジュールが前記機器マークと前記ウェアラブルデバイスの機器マークとが異なることを検出した場合、ビデオモニターリングを行うように配置される第１のモニターリングモジュール、
又は、
前記マーク検出モジュールにより、前記無線信号の強度が前記閾値よりも小さいことを検出した場合、ビデオモニターリングを行うように配置される第２のモニターリングモジュールをさらに備えることを特徴とする、
請求項８に記載の装置。
【請求項１０】
前記ウェアラブルデバイスとバインディング関係を予め構築するように配置されるバインディング構築モジュールを、さらに備えることを特徴とする、
請求項７〜９のいずれか１項に記載の装置。
【請求項１１】
前記バインディング構築モジュールは、
サーバーへモニターリング機器の機器マークを送信し、前記サーバーは、前記モニターリング機器の機器マークに基づいて、前記モニターリング機器と同一のユーザのアカウントをバインディングした前記ウェアラブルデバイスの機器マークを検索するために用いられるように配置されるマーク送信サブモジュールと、
前記サーバーから送信された前記ウェアラブルデバイスの機器マークを受信するように配置されるマーク受信サブモジュールと、
前記マーク受信サブモジュールで受信された前記ウェアラブルデバイスの機器マークを、前記バインディングしたウェアラブルデバイスの機器マークとして記憶させるように配置される第１の記憶サブモジュールと、を備えることを特徴とする、
請求項１０に記載の装置。
【請求項１２】
前記バインディング構築モジュールは、
モバイル端末から送信されるバインディング情報を受信し、前記バインディング情報は、少なくとも１つの前記ウェアラブルデバイスの機器マークを含み、前記バインディング情報は、前記モバイル端末によりバインディング関係の設定インターフェースに受信された設定操作に基づいて送信されたように配置される情報受信サブモジュールと、
前記情報受信サブモジュールで受信された前記ウェアラブルデバイスの機器マークを、前記バインディングしたウェアラブルデバイスの機器マークとして記憶させるように配置される第２の記憶サブモジュールと、を備えることを特徴とする、
請求項１０に記載の装置。
【請求項１３】
プロセッサと、
前記プロセッサが実行可能な指令を記憶するためのメモリと、を備え、
前記プロセッサは、
外部機器から送信された無線信号を受信し、
前記無線信号に付された機器マークと、バインディングしたウェアラブルデバイスの機器マークとが同じであるか否かを検出し、
前記機器マークと前記ウェアラブルデバイスの機器マークとが同じである場合、ビデオモニターリングを停止するように配置されることを特徴とする、
ビデオモニターリング装置。
【発明の詳細な説明】
【技術分野】
【０００１】
本発明は、スマート機器の分野に関し、特に、ビデオモニターリング方法及び装置に関する。
【背景技術】
【０００２】
スマートカメラは、新興のスマート機器として住宅のモニターリングに幅広く用いられている。
【０００３】
ユーザがスマートカメラを用いて家における状況をモニターリングする場合、スマートカメラをオンしさえすれば、スマートカメラは、自動的に家におけるルーターに接続され、且つルーターによりレコーディングされたビデオをサーバーにアップロードすることになっている。ユーザは、家にいない時にも、スマートフォンにより、当該サーバーにおけるビデオを取得して家における状況を調べることができる。
【０００４】
本発明を実現する過程において、発明者は、少なくとも、以下の欠陥、即ち、スマートカメラを一度オンすると、ユーザが家にいる時にも、スマートカメラが依然としてレコーディングされたビデオをサーバーにアップロードすることになり、ユーザのプライバシーを侵害させてしまう恐れがあるという欠陥を見出した。
【発明の概要】
【０００５】
関連技術において、スマートカメラを一度オンすると、ユーザが家にいる時にも、スマートカメラが依然としてレコーディングされたビデオをサーバーにアップロードすることになり、ユーザのプライバシーを侵害させてしまう恐れがある問題を解決するために、本発明の実施形態では、ビデオモニターリング方法及び装置を提供した。前記技術案は、次の通りである。
【０００６】
本発明に係る実施例の第１の態様によれば、本発明は、ビデオモニターリング方法を提供し、前記方法は、
外部機器から送信された無線信号を受信するステップと、
無線信号に付された機器マークと、バインディングしたウェアラブルデバイスの機器マークとが同じであるか否かを検出するステップと、
機器マークと当該ウェアラブルデバイスの機器マークとが同じである場合、ビデオモニターリングを停止するステップと、を含む。
【０００７】
一つの実施例において、無線信号に付された機器マークと、バインディングしたウェアラブルデバイスの機器マークとが同じであるか否かを検出するステップは、
無線信号の強度が閾値よりも大きいか否かを検出するステップと、
無線信号の強度が閾値よりも大きい場合、無線信号に付された機器マークとバインディングしたウェアラブルデバイスの機器マークとが同じであるか否かを検出するステップと、を含む。
【０００８】
１つの実施例において、当該方法は、
機器マークとウェアラブルデバイスの機器マークとが異なることを検出した場合、ビデオモニターリングを行うステップ、
又は
無線信号の強度が閾値よりも小さいことを検出した場合、ビデオモニターリングを行うステップをさらに含む。
【０００９】
１つの実施例において、当該方法は、
ウェアラブルデバイスとバインディング関係を予め構築するステップをさらに含む。
【００１０】
１つの実施例において、ウェアラブルデバイスとバインディング関係を予め構築するステップは、
サーバーへモニターリング機器の機器マークを送信し、当該サーバーは、モニターリング機器の機器マークに基づいて、モニターリング機器と同一のユーザのアカウントをバインディングしたウェアラブルデバイスの機器マークを検索するために用いられるステップと、
サーバーから送信されたウェアラブルデバイスの機器マークを受信するステップと、
ウェアラブルデバイスの機器マークをバインディングしたウェアラブルデバイスの機器マークとして記憶させるステップとを含む。
【００１１】
１つの実施例において、ウェアラブルデバイスとバインディング関係を予め構築するステップは、
モバイル端末から送信されるバインディング情報を受信し、当該バインディング情報は、少なくとも１つのウェアラブルデバイスの機器マークを含み、当該バインディング情報は、モバイル端末によりバインディング関係の設定インターフェースに受信された設定操作に基づいて送信されたステップと、
ウェアラブルデバイスの機器マークをバインディングしたウェアラブルデバイスの機器マークとして記憶させるステップとを、さらに含む。
【００１２】
本発明に係る実施例の第２の態様によれば、ビデオモニターリング装置を提供し、前記装置は、
外部機器から送信された無線信号を受信するように配置される信号受信モジュールと、
信号受信モジュールで受信された無線信号に付された機器マークと、バインディングしたウェアラブルデバイスの機器マークとが同じであるか否かを検出するように配置されるマーク検出モジュールと、
マーク検出モジュールが機器マークと当該ウェアラブルデバイスの機器マークとが同じであることを検出した場合、ビデオモニターリングを停止するように配置されるモニターリング停止モジュールと、を備える。
【００１３】
１つの実施例において、マーク検出モジュールは、
信号受信モジュールで受信された無線信号の強度が閾値よりも大きいか否か検出するように配置される閾値検出サブモジュールと、
閾値検出サブモジュールにより、無線信号の強度が閾値よりも大きいことを検出した場合、無線信号に付された機器マークとバインディングしたウェアラブルデバイスの機器マークとが同じであるか否かを検出するように配置されるマーク検出サブモジュールと、を備える。
【００１４】
１つの実施例において、当該装置は、
マーク検出モジュールが機器マークとウェアラブルデバイスの機器マークとが異なることを検出した場合、ビデオモニターリングを行うように配置される第１のモニターリングモジュール、
又は、
マーク検出モジュールにより、無線信号の強度が閾値よりも小さいことを検出した場合、ビデオモニターリングを行うように配置される第２のモニターリングモジュールをさらに備える。
【００１５】
１つの実施例において、当該装置は、
ウェアラブルデバイスとバインディング関係を予め構築するように配置されるバインディング構築モジュールをさらに備える。
【００１６】
１つの実施例において、バインディング構築モジュールは、
サーバーへモニターリング機器の機器マークを送信し、当該サーバーは、モニターリング機器の機器マークに基づいて、モニターリング機器と同一のユーザのアカウントをバインディングしたウェアラブルデバイスの機器マークを検索するために用いられるように配置されるマーク送信サブモジュールと、
サーバーから送信されたウェアラブルデバイスの機器マークを受信するように配置されるマーク受信サブモジュールと、
マーク受信サブモジュールで受信されたウェアラブルデバイスの機器マークを、バインディングしたウェアラブルデバイスの機器マークとして記憶させるように配置される第１の記憶サブモジュールと、を備える。
【００１７】
１つの実施例において、バインディング構築モジュールは、
モバイル端末から送信されるバインディング情報を受信し、当該バインディング情報は、少なくとも１つのウェアラブルデバイスの機器マークを含み、当該バインディング情報は、モバイル端末によりバインディング関係の設定インターフェースに受信された設定操作に基づいて送信されたように配置される情報受信サブモジュールと、
情報受信サブモジュールで受信されたウェアラブルデバイスの機器マークを、バインディングしたウェアラブルデバイスの機器マークとして記憶させるように配置される第２の記憶サブモジュールを、さらに備える。
【００１８】
本発明に係る実施例の第３の態様によれば、ビデオモニターリング装置を提供し、前記装置は、
プロセッサと、
プロセッサの実行可能な指令を記憶するためのメモリと、を備え、
当該プロセッサは、
外部機器から送信された無線信号を受信し、
無線信号に付された機器マークと、バインディングしたウェアラブルデバイスの機器マークとが同じであるか否かを検出し、
機器マークと当該ウェアラブルデバイスの機器マークとが同じである場合、ビデオモニターリングを停止するように配置される。
【００１９】
本発明に係る実施例に提供された技術案では、次の有益な効果を果たすことができる。
【００２０】
外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００２１】
上記の一般的な説明及び後述の詳細な説明は、例示的かつ解釈的なものに過ぎず、本発明を限定するものではないことを理解すべきである。
【図面の簡単な説明】
【００２２】
ここで、図面は明細書に組み込んで本明細書の一部とし、本発明に合致する実施例を示すとともに、明細書とともに本発明の原理を説明する。
【００２３】
【図１】図１は、例示的な実施例に係るビデオモニターリング方法を示す方法フローチャートである。
【図２Ａ】図２Ａは、別の例示的な実施例に係るビデオモニターリング方法を示す方法フローチャートである。
【図２Ｂ】図２Ｂは、別の例示的な実施例に係るビデオモニターリング方法の実施模式図である。
【図２Ｃ】図２Ｃは、別の例示的な実施例に係るビデオモニターリング方法におけるバインディング過程を示す方法フローチャートである。
【図２Ｄ】図２Ｄは、別の例示的な実施例に係るビデオモニターリング方法の実施模式図である。
【図２Ｅ】図２Ｅは、別の例示的な実施例に係るビデオモニターリング方法におけるバインディング過程を示す方法フローチャートである。
【図２Ｆ】図２Ｆは、別の例示的な実施例に係るビデオモニターリング方法の実施模式図である。
【図３】図３は、例示的な実施例に係るビデオモニターリング装置の構成を示すブロック図である。
【図４】図４は、別の例示的な実施例に係るビデオモニターリング装置の構成を示すブロック図である。
【図５】図５は、例示的な実施例に係るビデオモニターリング装置の１つを示すブロック図である。
【００２４】
上記図面を通じて本発明の明確な実施例を例示し、以下にさらに詳しく記述する。これらの図面は、何らかの方法で本発明の思想の範囲を制限するのではなく、特定な実施例を参照することで当業者に本発明のコンセプトを説明するためのものである。
【発明を実施するための形態】
【００２５】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００２６】
本発明の各実施例により提供されたビデオモニターリング方法は、ビデオモニターリングの機能を持っているモニターリング機器により実行されることができ、例えば、当該モニターリング機器は、一定の計算能力を有するような有線或いは無線のスマートカメラであってもよい。
【００２７】
以下、説明を簡略化するために、モニターリング機器でビデオモニターリング方法を実行することのみを例にして説明したが、これらの内容は、本発明を何ら限定するものではない。
【００２８】
図１は、例示的な実施例に係るビデオモニターリング方法を示す方法フローチャートであり、本実施例では、当該ビデオモニターリング方法がモニターリング機器に用いられることを説明し、当該ビデオモニターリング方法は、以下のステップ１０２〜ステップ１０６を含んでもよい。
【００２９】
ステップ１０２において、外部機器から送信された無線信号を受信する。
【００３０】
ステップ１０４において、無線信号に付された機器マークと、バインディングしたウェアラブルデバイスの機器マークとが同じであるか否かを検出する。
【００３１】
ステップ１０６において、機器マークと当該ウェアラブルデバイスの機器マークとが同じである場合、ビデオモニターリングを停止する。
【００３２】
上記を纏めて言えば、当該例示的実施例により提供されたビデオモニターリング方法では、外部機器から送信された無線信号を受信し、無線信号に付された機器マークと、バインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００３３】
実施過程において、モニターリング機器とウェアラブルデバイスとのバインディング関係を予め構築することにより、モニターリング機器が外部機器から送信された無線信号を受信した後、当該外部機器がバインディングしたウェアラブルデバイスであるか否かを判断し、判断の結果に基づいてモニターリングを行ったり停止したりすることができる。以下、一つの例示的な実施例について説明する。
【００３４】
図２Ａは、別の例示的な実施例に係るビデオモニターリング方法を示す方法フローチャートであり、本実施例では、当該ビデオモニターリング方法がモニターリング機器に用いられることを説明し、当該ビデオモニターリング方法は、以下のステップ２０１〜ステップ２０７を含んでもよい。
【００３５】
ステップ２０１において、ウェアラブルデバイスとバインディング関係を予め構築する。
【００３６】
ウェアラブルデバイスは、収集された動作データ及び機器情報を無線信号で転送することができる電子機器であり、当該無線信号は、ブルートゥース（Ｂｌｕｅｔｏｏｔｈ（登録商標））信号又は赤外線信号等であってもよい。当該ウェアラブルデバイスは、スマート腕輪、スマート・ウォッチ、スマートチェーンブレスレット、スマートネックレス、スマートリング又はスマートグラスであってもよい。
【００３７】
ユーザは、モニターリング機器とウェアラブルデバイスとの間にバインディング関係を予め構築することにより、モニターリング機器は、受信した無線信号に基づいて当該無線信号を送信した外部機器がバインディングしたウェアラブルデバイスであるか否かを判断することができる。
【００３８】
ステップ２０２において、外部機器から送信された無線信号を受信する。
【００３９】
モニターリング機器は、オンする時に、外部機器から送信された無線信号を受信することになり、当該無線信号は、ブルートゥース信号又は赤外線信号等であってもよい。
【００４０】
例えば、モニターリング機器においてブルートゥースモジュールが設定され、モニターリング機器は、ビデオモニターリングをオンすると共に、ブルートゥースモジュールをもオンすることになり、外部機器から送信されたブルートゥース信号を受信する。
【００４１】
ステップ２０３において、無線信号の強度が閾値よりも大きいか否かを検出する。
【００４２】
モニターリング機器は、受信した無線信号の強度を検出し、当該強度に基づいて外部機器がモニターリングの範囲内にあるか否かを判断し、当該閾値の大きさはモニターリング機器のモニターリング範囲に繋がっている。モニターリング機器は、受信した無線信号の強度と予め設定された閾値とを比較し、強度が当該閾値よりも大きい場合、モニターリング機器では、当該外部機器がモニターリングの範囲内にあることを特定し、ステップ２０４を実行し、強度が当該閾値よりも小さい場合、モニターリング機器では、当該外部機器がモニターリング範囲内にないことを特定し、ステップ２０７を実行する。
【００４３】
説明すべきことは、当該ステップは、選択的なステップであり、即ち、モニターリング機器は、外部機器から送信された無線信号を受信した後、強度検出ステップをスキップして直接にステップ２０４を実行することができる。
【００４４】
ステップ２０４において、無線信号の強度が閾値よりも大きい場合、無線信号に付された機器マークとバインディングしたウェアラブルデバイスの機器マークとが同じであるか否かを検出する。
【００４５】
無線信号の強度が閾値よりも大きい場合、モニターリング機器は、受信した無線信号に対して解析を行い、当該無線信号に付された外部機器の機器マークを取得する。
【００４６】
例えば、当該無線信号がブルートゥース信号である場合、モニターリング機器は、受信したブルートゥース信号に対して解析を行い、デジタル信号を得、且つ当該デジタル信号から外部機器の機器マークを抽出し、当該機器マークは、外部機器におけるブルートゥースモジュールのＭＡＣ（Ｍｅｄｉａ  Ａｃｃｅｓｓ  Ｃｏｎｔｒｏｌ）アドレスであってもよい。
【００４７】
モニターリング機器が外部機器の機器マークを取得した後、当該機器マークと、予め記憶されたバインディングしたウェアラブルデバイスの機器マークとが一致するか否かを検出する。当該機器マークと予め記憶されたバインディングしたウェアラブルデバイスの機器マークとが一致した場合、モニターリング機器は、当該外部機器がバインディングしたウェアラブルデバイスであると特定し、ステップ２０５を実行する。当該機器マークと予め記憶されたバインディングしたウェアラブルデバイスの機器マークとが一致しない場合、モニターリング機器は、当該外部機器がバインディングしたウェアラブルデバイスでないと特定し、ステップ２０６を実行する。
【００４８】
ステップ２０５において、機器マークとウェアラブルデバイスの機器マークとが同じである場合、ビデオモニターリングを停止する。
【００４９】
外部機器の機器マークとバインディングしたウェアラブルデバイスの機器マークとが同じである場合、モニターリング機器は、予めバインディングされたウェアラブルデバイスを持っているユーザがモニターリング範囲内にいることを特定し、モニターリング機器でビデオモニターリングを停止しようとする。
【００５０】
例えば、図２Ｂに示すように、当該ウェアラブルデバイスがスマート腕輪を例として挙げると、モニターリング機器２１は、スマート腕輪２２とバインディング関係を予め構築し、且つスマート腕輪２２は、この機器マークを付したブルートゥース信号をブルートゥース信号の形で外へ絶えず送信し、モニターリング機器２１が、受信した、当該スマート腕輪２２から送信されたブルートゥース信号の強度に対して検出し、当該強度が閾値よりも大きいことを検出した場合、ブルートゥース信号に対して解析を行い、その中に付された機器マークを取得する。当該スマート腕輪２２の機器マークが予め記憶されたため、モニターリング機器２１は、予めバインディングされたウェアラブルデバイスを持っているユーザがモニターリング範囲内にいることを特定することができ、モニターリング機器２１でビデオモニターリングを停止しようとする。
【００５１】
説明すべきことは、モニターリング機器は、ビデオモニターリングを停止した後、受信した無線信号の強度を検出して続けようとし、当該強度が閾値よりも小さい場合、モニターリング機器は、当該外部機器がモニターリング範囲内から離れていることを認識することになり、改めてビデオモニターリングを行う。
【００５２】
ステップ２０６において、機器マークとウェアラブルデバイスの機器マークとが異なることを検出した場合、ビデオモニターリングを行う。
【００５３】
外部機器の機器マークとバインディングしたウェアラブルデバイスの機器マークとが異なる場合、モニターリング機器は、当該外部機器がバインディングしたウェアラブルデバイスでないと特定し、ビデオモニターリングを続け、且つビデオレコーディングを行い、レコーディングされたビデオを、サーバーへアップロードしたり、記憶機器に保存したりする。
【００５４】
ステップ２０７において、無線信号の強度が閾値よりも小さいことを検出した場合、ビデオモニターリングを行う。
【００５５】
受信した無線信号の強度が閾値よりも小さいことを検出した場合、モニターリング機器は、外部機器がモニターリング範囲内にないと認識することになり、モニターリング機器でビデオモニターリングを続ける。
【００５６】
上記を纏めて言えば、当該例示的実施例により提供されたビデオモニターリング方法では、外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００５７】
当該例示的な実施例では、さらにモニターリング機器により受信した、外部機器から送信された無線信号の強度に対して検出を行い、当該強度が閾値よりも小さい場合、外部機器がモニターリング範囲内にないことを認識することになり、ビデオモニターリングを続けて行い、当該強度が閾値よりも大きい場合、無線信号に付された機器マークを検出し、検出結果に基づいてビデオモニターリングを行うか否かを特定し、モニターリング機器がバインディングしたウェアラブルデバイスを検出した場合、当該ウェアラブルデバイスがモニターリング範囲内にない時にもモニターリング機器がビデオモニターリングを停止するようになる問題を解决した。
【００５８】
上記の実施例により提供されたビデオモニターリング方法では、ステップ２０１は、下記の２つの可能な実現形態を含んでもよい。
【００５９】
第１の可能な実現形態では、図２Ｃに示すように、ステップ２０１は、ステップ２０１ａ〜ステップ２０１ｃを含んでもよい。
【００６０】
ステップ２０１ａにおいて、モニターリング機器は、サーバーへモニターリング機器の機器マークを送信し、当該サーバーは、モニターリング機器の機器マークに基づいて、モニターリング機器と同一のユーザアカウントをバインディングしたウェアラブルデバイスの機器マークを検索するために用いられる。
【００６１】
モニターリング機器は、サーバーへモニターリング機器の機器マークを送信し、当該機器マークは、モニターリング機器におけるブルートゥースモジュールのＭＡＣアドレスであってもよい。サーバーは、受信したモニターリング機器から送信された機器マークに基づいて、予め記憶されたモニターリング機器とユーザアカウントとのバインディング関係表から、当該モニターリング機器のバインディングしたユーザアカウント情報を検索する。当該モニターリング機器の機器マークがブルートゥースモジュールのＭＡＣアドレスであることを例にして、当該モニターリング機器とユーザアカウントとのバインディング関係表の表構造は、表１に示すようにとしてもよい。
【００６２】
【表１】
2017506865.tif 000003
サーバーは、モニターリング機器の機器マークに基づいて対応のユーザアカウントを検索し、且つ当該ユーザアカウント情報に基づいてバインディングしたウェアラブルデバイスの機器マークを検索し、当該ウェアラブルデバイスの機器マークは、ウェアラブルデバイスにおけるブルートゥースモジュールのＭＡＣアドレスであってもよい。その中でも、サーバーにおいて、ウェアラブルデバイスとユーザアカウントとのバインディング関係表が記憶され、当該ウェアラブルデバイスと、ユーザアカウントとのバインディング関係表の表構造は、表２に示すようにとしてもよい。
【００６３】
【表２】
2017506865.tif 000004
例えば、モニターリング機器によりサーバーへ送信したモニターリング機器の機器マークが「００：１１：２２：３３：ＡＡ：ＢＢ」である場合、サーバーは、当該モニターリング機器と同一のユーザアカウントをバインディングしたウェアラブルデバイスの機器マークが「００：１１：２２：３３：ＡＡ：ＣＣ」であることを検索した。
【００６４】
説明すべきことは、同一ユーザアカウントは、複数のウェアラブルデバイスとバインディングしてもよく、複数のモニターリング機器とバインディングしてもよく、これらに対して、本発明は限定しない。
【００６５】
ステップ２０１ｂにおいて、モニターリング機器は、サーバーから送信されたウェアラブルデバイスの機器マークを受信する。
【００６６】
サーバーは、ウェアラブルデバイスの機器マークを検索した後、モニターリング機器へ当該ウェアラブルデバイスの機器マークを送信し、それに対応して、モニターリング機器は、当該ウェアラブルデバイスの機器マークを受信する。
【００６７】
例えば、図２Ｄに示すように、モニターリング機器２１は、接続しているルーター２３によりサーバー２４へモニターリング機器２１におけるブルートゥースモジュールのＭＡＣアドレスを送信し、サーバー２４は、当該ブルートゥースモジュールのＭＡＣアドレスに基づいて、モニターリング機器２１と同一のユーザアカウントをバインディングしたウェアラブルデバイスにおけるブルートゥースモジュールのＭＡＣアドレスを検索した上で、検索されたウェアラブルデバイスにおけるブルートゥースモジュールのＭＡＣアドレスを、モニターリング機器２１へ送信する。
【００６８】
ステップ２０１ｃにおいて、モニターリング機器は、ウェアラブルデバイスの機器マークを、バインディングしたウェアラブルデバイスの機器マークとして記憶させる。
【００６９】
モニターリング機器は、受信されたウェアラブルデバイスの機器マークを、バインディングしたウェアラブルデバイスの機器マークとして特定し、且つ記憶させる。
【００７０】
第２の可能な実現形態では、図２Ｅに示すように、ステップ２０１は、ステップ２０１Ａ及びステップ２０１Ｂを含んでもよい。
【００７１】
ステップ２０１Ａにおいて、モニターリング機器は、モバイル端末から送信されるバインディング情報を受信し、当該バインディング情報は、少なくとも１つのウェアラブルデバイスの機器マークを含み、当該バインディング情報は、モバイル端末がバインディング関係の設定インターフェースに受信された設定操作に基づいて送信された。
【００７２】
モバイル端末は、ブルートゥースによりモニターリング機器と接続され、且つユーザがバインディング関係設定インターフェースに入力したウェアラブルデバイスの機器マークを受信し、当該ウェアラブルデバイスの機器マークを当該モニターリング機器に送信することができ、それに対応して、モニターリング機器は、当該ウェアラブルデバイスの機器マークを受信する。
【００７３】
ステップ２０１Ｂにおいて、モニターリング機器は、ウェアラブルデバイスの機器マークを、バインディングしたウェアラブルデバイスの機器マークとして記憶させる。
【００７４】
例えば、図２Ｆに示すように、ユーザがモバイル端末２５にインストールされたモニターリング機器管理ソフトウェアを実行し、且つモニターリング機器２１とのブルートゥース接続を構築する。モバイル端末２５は、ウェアラブルデバイスにおけるブルートゥースモジュールのＭＡＣアドレスを取得した後、バインディング関係設定インターフェース２６にカメラ標識２７を表示してユーザにより選択し、且つユーザの選択に基づいて、ブルートゥースモジュールのＭＡＣアドレスをモニターリング機器２１へ送信し、モニターリング機器２１は、当該ブルートゥースモジュールのＭＡＣアドレスを、バインディングしたウェアラブルデバイスの機器マークとして特定する。
【００７５】
説明すべきことは、ユーザは、ユーザアカウントを用いてモニターリング機器管理ソフトウェアをログインすることができ、モニターリング機器を検索した後、当該ユーザアカウントをバインディングしたウェアラブルデバイスの機器マークを、自動的にモニターリング機器まで送信し、モニターリング機器では、当該ウェアラブルデバイスの機器マークを受信し、且つ記憶する。
【００７６】
以下は、本発明に係る装置の実施例であり、本発明に係る方法の実施例を実行するために用いられてもよい。本発明に係る装置の実施例に記載されない詳細について、本発明に係る方法の実施例を参照することができる。
【００７７】
図３は、別の例示的な実施例に係るビデオモニターリング装置の構成を示すブロック図であり、当該ビデオモニターリング装置は、ソフトウェア、ハードウェア又は両方の組み合わせにより、モニターリング機器の一部又は全部となるように実現されることができる。当該ビデオモニターリング装置は、
外部機器から送信された無線信号を受信するように配置される信号受信モジュール３０２と、
信号受信モジュール３０２で受信された無線信号に付された機器マークと、バインディングしたウェアラブルデバイスの機器マークとが同じであるか否かを検出するように配置されるマーク検出モジュール３０４と、
マーク検出モジュール３０４が機器マークと当該ウェアラブルデバイスの機器マークとが同じであることを検出した場合、ビデオモニターリングを停止するように配置されるモニターリング停止モジュール３０６と、を備えてもよい。
【００７８】
上記を纏めて言えば、当該例示的実施例により提供されたビデオモニターリング装置では、外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００７９】
図４は、別の例示的な実施例に係るビデオモニターリング装置の構成を示すブロック図であり、当該ビデオモニターリング装置は、ソフトウェア、ハードウェア又は両方の組み合わせにより、モニターリング機器の一部又は全部となるように実現されることができる。当該ビデオモニターリング装置は、
外部機器から送信された無線信号を受信するように配置される信号受信モジュール４０２と、
信号受信モジュール４０２で受信された無線信号に付された機器マークと、バインディングしたウェアラブルデバイスの機器マークとが同じであるか否かを検出するように配置されるマーク検出モジュール４０４と、
マーク検出モジュール４０４が機器マークとウェアラブルデバイスの機器マークとが同じであることを検出した場合、ビデオモニターリングを停止するように配置されるモニターリング停止モジュール４０６と、を備えてもよい。
【００８０】
好ましくは、マーク検出モジュール４０４は、
信号受信モジュールで受信された無線信号の強度が閾値よりも大きいか否か検出するように配置される閾値検出サブモジュール４０４ａと、
閾値検出サブモジュールにより、無線信号の強度が閾値よりも大きいことを検出した場合、無線信号に付された機器マークとバインディングしたウェアラブルデバイスの機器マークとが同じであるか否かを検出するように配置されるマーク検出サブモジュール４０４ｂと、を備える。
【００８１】
好ましくは、当該装置は、
マーク検出モジュール４０４により、機器マークとウェアラブルデバイスの機器マークとが異なることを検出した場合、ビデオモニターリングを行うように配置される第１のモニターリングモジュール４０７、
又は
マーク検出モジュール４０４により、無線信号の強度が閾値よりも小さいことを検出した場合、ビデオモニターリングを行うように配置される第２のモニターリングモジュール４０８をさらに備える。
【００８２】
好ましくは、当該装置は、
ウェアラブルデバイスとバインディング関係を予め構築するように配置されるバインディング構築モジュール４０９をさらに備える。
【００８３】
好ましくは、バインディング構築モジュール４０９は、
サーバーへモニターリング機器の機器マークを送信し、当該サーバーは、モニターリング機器の機器マークに基づいて、モニターリング機器と同一ユーザのアカウントをバインディングしたウェアラブルデバイスの機器マークを検索するために用いられるように配置されるマーク送信サブモジュール４０９ａと、
サーバーから送信されたウェアラブルデバイスの機器マークを受信するように配置されるマーク受信サブモジュール４０９ｂと、
情報受信サブモジュール４０９ｂで受信されたウェアラブルデバイスの機器マークを、バインディングしたウェアラブルデバイスの機器マークとして記憶させるように配置される第1の記憶サブモジュール４０９ｃと、を備える。
【００８４】
好ましくは、バインディング構築モジュール４０９は、
モバイル端末から送信されるバインディング情報を受信し、当該バインディング情報は、少なくとも１つのウェアラブルデバイスの機器マークを含み、当該バインディング情報は、モバイル端末によりバインディング関係の設定インターフェースに受信された設定操作に基づいて送信されたように配置される情報受信サブモジュール４０９ｄと、
情報受信サブモジュール４０９ｄで受信されたウェアラブルデバイスの機器マークを、バインディングしたウェアラブルデバイスの機器マークとして記憶させるように配置される第２の記憶サブモジュール４０９ｅと、を備える。
【００８５】
上記を纏めて言えば、当該例示的実施例により提供されたビデオモニターリング装置では、外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００８６】
当該例示的な実施例では、さらにモニターリング機器により受信した、外部機器から送信された無線信号の強度に対して検出を行い、当該強度が閾値よりも小さい場合、外部機器がモニターリング範囲内にないことを認識することになり、ビデオモニターリングを続けて行い、当該強度が閾値よりも大きい場合、無線信号に付された機器マークを検出し、検出結果に基づいてビデオモニターリングを行うか否かを特定し、モニターリング機器がバインディングしたウェアラブルデバイスを検出した場合、当該ウェアラブルデバイスがモニターリング範囲内にない時にもモニターリング機器がビデオモニターリングを停止するようになる問題を解决した。
【００８７】
上記の実施例に係る装置について、各ユニットが操作を実行する具体的な形態は、すでに該当する方法に係る実施例において詳細に記載され、ここで、詳細に説明しない。
【００８８】
図５は、例示的な実施例に係るビデオモニターリング装置の１つを示すブロック図である。例えば、ビデオモニターリング装置５００は、一定の計算能力を持っているスマートカメラであってもよい。
【００８９】
図５に示すように、ビデオモニターリング装置５００は、プロセスアセンブリ５０２、メモリ５０４、電源アセンブリ５０６、マルチメディアアセンブリ５０８、オーディオアセンブリ５１０、センサアセンブリ５１４、及び通信アセンブリ５１６のような１つ以上のアセンブリを備える。
【００９０】
プロセスアセンブリ５０２は、一般的には装置５００全体の操作を制御するものであり、例えば、ビデオモニターリングと関連する操作を制御する。プロセスアセンブリ５０２は、１つ以上のプロセッサ５２０を含み、これらによって指令を実行することにより、上記の方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。
【００９１】
メモリ５０４は、各種類のデータを記憶することにより装置５００の操作を支援するように構成される。これらのデータの例は、装置５００において操作されるためのいずれのアプリケーションプログラム又は方法の指令を含む。メモリ５０４は、いずれの種類の揮発性メモリ、不揮発性メモリ記憶デバイス又はそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスクである。
【００９２】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連する他のアセンブリを含んでもよい。
【００９３】
マルチメディアアセンブリ５０８は、少なくとも一つのカメラを備える。装置５００が、撮影モード、或いはビデオモードにある場合、カメラは外部からマルチメディアデータを受信できる。カメラは、一つの固定型の光レンズ系、或いは可変焦点距離と光学ズーム機能を有するものであってもよい。
【００９４】
オーディオアセンブリ５１０は、オーディオ信号を入出力するように構成されてもよい。例えば、オーディオアセンブリ５１０は、一つのマイク（ＭＩＣ）を含み、外部のオーディオ信号を受信することができる。受信されたオーディオ信号は、さらにメモリ５０４に記憶されたり、通信アセンブリ５１６を介して送信されたりされる。上記の実施例において、オーディオアセンブリ５１０は、オーディオ信号を出力するための一つのスピーカーをさらに含む。
【００９５】
センサアセンブリ５１４は、装置５００に各方面の状態に対する評価を提供するための一つ以上のセンサを含む。センサアセンブリ５１４は、さらに、装置５００、或いは装置５００の一つのアセンブリの位置変更、ユーザと装置５００とが接触しているか否か、装置５００の方位、又は加速／減速、及び装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤイメージセンサのような光センサを含んでもよい。上記の実施例において、当該センサアセンブリ５１４は、加速度センサ、ジャイロスコープセンサ、磁気センサ、圧力センサ、及び温度センサをさらに含んでもよい。
【００９６】
通信アセンブリ５１６は、装置５００と他の機器の間に有線、又は無線形態の通信を提供する。装置５００は、例えばＷｉＦｉのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、通信アセンブリ５１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００９７】
例示的な実施例では、さらに、指令を含むコンピュータ読み取り可能な非一時的な記憶媒体、例えば、指令を含むメモリ５０４を提供しており、装置５００のプロセッサ５１８により前記指令を実行して、モニターリング機器を実行本体としたビデオモニターリング方法を実現する。例えば、コンピュータ読み取り可能な非一時的な記憶媒体は、ＲＯＭ、ＲＡＭ、ＣＤ−ＲＯＭ、磁気テープ、フロッピーディスク（登録商標）、及び光データ記憶デバイスなどであってもよい。
【００９８】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【００９９】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０１００】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１０１】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０１０２】
本願は、出願番号がＣＮ２０１４１０８５２３０１．７であって、出願日が２０１４年１２月３１日である中国特許出願に基づき優先権を主張し、当該中国特許出願のすべての内容を本願に援用する。
【図１】
2017506865.tif 000005
【図２Ａ】
2017506865.tif 000006
【図２Ｂ】
2017506865.tif 000007
【図２Ｃ】
2017506865.tif 000008
【図２Ｄ】
2017506865.tif 000009
【図２Ｅ】
2017506865.tif 000010
【図２Ｆ】
2017506865.tif 000011
【図３】
2017506865.tif 000012
【図４】
2017506865.tif 000013
【図５】
2017506865.tif 000014
【手続補正書】
【提出日】平成27年6月26日(2015.6.26)
【手続補正１】
【補正対象書類名】明細書
【補正対象項目名】全文
【補正方法】変更
【補正の内容】
【発明の詳細な説明】
【技術分野】
【０００１】
本発明は、スマート機器の分野に関し、特に、ビデオモニターリング方法、装置、プログラム及び記録媒体に関する。
【背景技術】
【０００２】
スマートカメラは、新興のスマート機器として住宅のモニターリングに幅広く用いられている。
【０００３】
ユーザがスマートカメラを用いて家における状況をモニターリングする場合、スマートカメラをオンしさえすれば、スマートカメラは、自動的に家におけるルーターに接続され、且つルーターによりレコーディングされたビデオをサーバーにアップロードすることになっている。ユーザは、家にいない時にも、スマートフォンにより、当該サーバーにおけるビデオを取得して家における状況を調べることができる。
【０００４】
本発明を実現する過程において、発明者は、少なくとも、以下の欠陥、即ち、スマートカメラを一度オンすると、ユーザが家にいる時にも、スマートカメラが依然としてレコーディングされたビデオをサーバーにアップロードすることになり、ユーザのプライバシーを侵害させてしまう恐れがあるという欠陥を見出した。
【発明の概要】
【０００５】
関連技術において、スマートカメラを一度オンすると、ユーザが家にいる時にも、スマートカメラが依然としてレコーディングされたビデオをサーバーにアップロードすることになり、ユーザのプライバシーを侵害させてしまう恐れがある問題を解決するために、本発明の実施形態では、ビデオモニターリング方法、装置、プログラム及び記録媒体を提供した。前記技術案は、次の通りである。
【０００６】
本発明に係る実施例の第１の態様によれば、本発明は、ビデオモニターリング方法を提供し、前記方法は、
外部機器から送信された無線信号を受信するステップと、
無線信号に付された機器マークと、バインディングしたウェアラブルデバイスの機器マークとが同じであるか否かを検出するステップと、
機器マークと当該ウェアラブルデバイスの機器マークとが同じである場合、ビデオモニターリングを停止するステップと、を含む。
【０００７】
一つの実施例において、無線信号に付された機器マークと、バインディングしたウェアラブルデバイスの機器マークとが同じであるか否かを検出するステップは、
無線信号の強度が閾値よりも大きいか否かを検出するステップと、
無線信号の強度が閾値よりも大きい場合、無線信号に付された機器マークとバインディングしたウェアラブルデバイスの機器マークとが同じであるか否かを検出するステップと、を含む。
【０００８】
１つの実施例において、当該方法は、
機器マークとウェアラブルデバイスの機器マークとが異なることを検出した場合、ビデオモニターリングを行うステップ、
又は
無線信号の強度が閾値よりも小さいことを検出した場合、ビデオモニターリングを行うステップをさらに含む。
【０００９】
１つの実施例において、当該方法は、
ウェアラブルデバイスとバインディング関係を予め構築するステップをさらに含む。
【００１０】
１つの実施例において、ウェアラブルデバイスとバインディング関係を予め構築するステップは、
サーバーへモニターリング機器の機器マークを送信し、当該サーバーは、モニターリング機器の機器マークに基づいて、モニターリング機器と同一のユーザのアカウントをバインディングしたウェアラブルデバイスの機器マークを検索するために用いられるステップと、
サーバーから送信されたウェアラブルデバイスの機器マークを受信するステップと、
ウェアラブルデバイスの機器マークをバインディングしたウェアラブルデバイスの機器マークとして記憶させるステップとを含む。
【００１１】
１つの実施例において、ウェアラブルデバイスとバインディング関係を予め構築するステップは、
モバイル端末から送信されるバインディング情報を受信し、当該バインディング情報は、少なくとも１つのウェアラブルデバイスの機器マークを含み、当該バインディング情報は、モバイル端末によりバインディング関係の設定インターフェースに受信された設定操作に基づいて送信されたステップと、
ウェアラブルデバイスの機器マークをバインディングしたウェアラブルデバイスの機器マークとして記憶させるステップとを、さらに含む。
【００１２】
本発明に係る実施例の第２の態様によれば、ビデオモニターリング装置を提供し、前記装置は、
外部機器から送信された無線信号を受信するように配置される信号受信モジュールと、
信号受信モジュールで受信された無線信号に付された機器マークと、バインディングしたウェアラブルデバイスの機器マークとが同じであるか否かを検出するように配置されるマーク検出モジュールと、
マーク検出モジュールが機器マークと当該ウェアラブルデバイスの機器マークとが同じであることを検出した場合、ビデオモニターリングを停止するように配置されるモニターリング停止モジュールと、を備える。
【００１３】
１つの実施例において、マーク検出モジュールは、
信号受信モジュールで受信された無線信号の強度が閾値よりも大きいか否か検出するように配置される閾値検出サブモジュールと、
閾値検出サブモジュールにより、無線信号の強度が閾値よりも大きいことを検出した場合、無線信号に付された機器マークとバインディングしたウェアラブルデバイスの機器マークとが同じであるか否かを検出するように配置されるマーク検出サブモジュールと、を備える。
【００１４】
１つの実施例において、当該装置は、
マーク検出モジュールが機器マークとウェアラブルデバイスの機器マークとが異なることを検出した場合、ビデオモニターリングを行うように配置される第１のモニターリングモジュール、
又は、
マーク検出モジュールにより、無線信号の強度が閾値よりも小さいことを検出した場合、ビデオモニターリングを行うように配置される第２のモニターリングモジュールをさらに備える。
【００１５】
１つの実施例において、当該装置は、
ウェアラブルデバイスとバインディング関係を予め構築するように配置されるバインディング構築モジュールをさらに備える。
【００１６】
１つの実施例において、バインディング構築モジュールは、
サーバーへモニターリング機器の機器マークを送信し、当該サーバーは、モニターリング機器の機器マークに基づいて、モニターリング機器と同一のユーザのアカウントをバインディングしたウェアラブルデバイスの機器マークを検索するために用いられるように配置されるマーク送信サブモジュールと、
サーバーから送信されたウェアラブルデバイスの機器マークを受信するように配置されるマーク受信サブモジュールと、
マーク受信サブモジュールで受信されたウェアラブルデバイスの機器マークを、バインディングしたウェアラブルデバイスの機器マークとして記憶させるように配置される第１の記憶サブモジュールと、を備える。
【００１７】
１つの実施例において、バインディング構築モジュールは、
モバイル端末から送信されるバインディング情報を受信し、当該バインディング情報は、少なくとも１つのウェアラブルデバイスの機器マークを含み、当該バインディング情報は、モバイル端末によりバインディング関係の設定インターフェースに受信された設定操作に基づいて送信されたように配置される情報受信サブモジュールと、
情報受信サブモジュールで受信されたウェアラブルデバイスの機器マークを、バインディングしたウェアラブルデバイスの機器マークとして記憶させるように配置される第２の記憶サブモジュールを、さらに備える。
【００１８】
本発明に係る実施例の第３の態様によれば、ビデオモニターリング装置を提供し、前記装置は、
プロセッサと、
プロセッサの実行可能な指令を記憶するためのメモリと、を備え、
当該プロセッサは、
外部機器から送信された無線信号を受信し、
無線信号に付された機器マークと、バインディングしたウェアラブルデバイスの機器マークとが同じであるか否かを検出し、
機器マークと当該ウェアラブルデバイスの機器マークとが同じである場合、ビデオモニターリングを停止するように配置される。
【００１９】
本発明に係る実施例の第４の態様によれば、プロセッサに実行されることにより、前記のビデオモニターリング方法を実現することを特徴とするプログラムを提供する。
【００２０】
本発明に係る実施例の第５の態様によれば、前記のプログラムが記録された記録媒体を提供する。
【００２１】
本発明に係る実施例に提供された技術案では、次の有益な効果を果たすことができる。
【００２２】
外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００２３】
上記の一般的な説明及び後述の詳細な説明は、例示的かつ解釈的なものに過ぎず、本発明を限定するものではないことを理解すべきである。
【図面の簡単な説明】
【００２４】
ここで、図面は明細書に組み込んで本明細書の一部とし、本発明に合致する実施例を示すとともに、明細書とともに本発明の原理を説明する。
【００２５】
【図１】図１は、例示的な実施例に係るビデオモニターリング方法を示す方法フローチャートである。
【図２Ａ】図２Ａは、別の例示的な実施例に係るビデオモニターリング方法を示す方法フローチャートである。
【図２Ｂ】図２Ｂは、別の例示的な実施例に係るビデオモニターリング方法の実施模式図である。
【図２Ｃ】図２Ｃは、別の例示的な実施例に係るビデオモニターリング方法におけるバインディング過程を示す方法フローチャートである。
【図２Ｄ】図２Ｄは、別の例示的な実施例に係るビデオモニターリング方法の実施模式図である。
【図２Ｅ】図２Ｅは、別の例示的な実施例に係るビデオモニターリング方法におけるバインディング過程を示す方法フローチャートである。
【図２Ｆ】図２Ｆは、別の例示的な実施例に係るビデオモニターリング方法の実施模式図である。
【図３】図３は、例示的な実施例に係るビデオモニターリング装置の構成を示すブロック図である。
【図４】図４は、別の例示的な実施例に係るビデオモニターリング装置の構成を示すブロック図である。
【図５】図５は、例示的な実施例に係るビデオモニターリング装置の１つを示すブロック図である。
【００２６】
上記図面を通じて本発明の明確な実施例を例示し、以下にさらに詳しく記述する。これらの図面は、何らかの方法で本発明の思想の範囲を制限するのではなく、特定な実施例を参照することで当業者に本発明のコンセプトを説明するためのものである。
【発明を実施するための形態】
【００２７】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００２８】
本発明の各実施例により提供されたビデオモニターリング方法は、ビデオモニターリングの機能を持っているモニターリング機器により実行されることができ、例えば、当該モニターリング機器は、一定の計算能力を有するような有線或いは無線のスマートカメラであってもよい。
【００２９】
以下、説明を簡略化するために、モニターリング機器でビデオモニターリング方法を実行することのみを例にして説明したが、これらの内容は、本発明を何ら限定するものではない。
【００３０】
図１は、例示的な実施例に係るビデオモニターリング方法を示す方法フローチャートであり、本実施例では、当該ビデオモニターリング方法がモニターリング機器に用いられることを説明し、当該ビデオモニターリング方法は、以下のステップ１０２〜ステップ１０６を含んでもよい。
【００３１】
ステップ１０２において、外部機器から送信された無線信号を受信する。
【００３２】
ステップ１０４において、無線信号に付された機器マークと、バインディングしたウェアラブルデバイスの機器マークとが同じであるか否かを検出する。
【００３３】
ステップ１０６において、機器マークと当該ウェアラブルデバイスの機器マークとが同じである場合、ビデオモニターリングを停止する。
【００３４】
上記を纏めて言えば、当該例示的実施例により提供されたビデオモニターリング方法では、外部機器から送信された無線信号を受信し、無線信号に付された機器マークと、バインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００３５】
実施過程において、モニターリング機器とウェアラブルデバイスとのバインディング関係を予め構築することにより、モニターリング機器が外部機器から送信された無線信号を受信した後、当該外部機器がバインディングしたウェアラブルデバイスであるか否かを判断し、判断の結果に基づいてモニターリングを行ったり停止したりすることができる。以下、一つの例示的な実施例について説明する。
【００３６】
図２Ａは、別の例示的な実施例に係るビデオモニターリング方法を示す方法フローチャートであり、本実施例では、当該ビデオモニターリング方法がモニターリング機器に用いられることを説明し、当該ビデオモニターリング方法は、以下のステップ２０１〜ステップ２０７を含んでもよい。
【００３７】
ステップ２０１において、ウェアラブルデバイスとバインディング関係を予め構築する。
【００３８】
ウェアラブルデバイスは、収集された動作データ及び機器情報を無線信号で転送することができる電子機器であり、当該無線信号は、ブルートゥース（Ｂｌｕｅｔｏｏｔｈ（登録商標））信号又は赤外線信号等であってもよい。当該ウェアラブルデバイスは、スマート腕輪、スマート・ウォッチ、スマートチェーンブレスレット、スマートネックレス、スマートリング又はスマートグラスであってもよい。
【００３９】
ユーザは、モニターリング機器とウェアラブルデバイスとの間にバインディング関係を予め構築することにより、モニターリング機器は、受信した無線信号に基づいて当該無線信号を送信した外部機器がバインディングしたウェアラブルデバイスであるか否かを判断することができる。
【００４０】
ステップ２０２において、外部機器から送信された無線信号を受信する。
【００４１】
モニターリング機器は、オンする時に、外部機器から送信された無線信号を受信することになり、当該無線信号は、ブルートゥース信号又は赤外線信号等であってもよい。
【００４２】
例えば、モニターリング機器においてブルートゥースモジュールが設定され、モニターリング機器は、ビデオモニターリングをオンすると共に、ブルートゥースモジュールをもオンすることになり、外部機器から送信されたブルートゥース信号を受信する。
【００４３】
ステップ２０３において、無線信号の強度が閾値よりも大きいか否かを検出する。
【００４４】
モニターリング機器は、受信した無線信号の強度を検出し、当該強度に基づいて外部機器がモニターリングの範囲内にあるか否かを判断し、当該閾値の大きさはモニターリング機器のモニターリング範囲に繋がっている。モニターリング機器は、受信した無線信号の強度と予め設定された閾値とを比較し、強度が当該閾値よりも大きい場合、モニターリング機器では、当該外部機器がモニターリングの範囲内にあることを特定し、ステップ２０４を実行し、強度が当該閾値よりも小さい場合、モニターリング機器では、当該外部機器がモニターリング範囲内にないことを特定し、ステップ２０７を実行する。
【００４５】
説明すべきことは、当該ステップは、選択的なステップであり、即ち、モニターリング機器は、外部機器から送信された無線信号を受信した後、強度検出ステップをスキップして直接にステップ２０４を実行することができる。
【００４６】
ステップ２０４において、無線信号の強度が閾値よりも大きい場合、無線信号に付された機器マークとバインディングしたウェアラブルデバイスの機器マークとが同じであるか否かを検出する。
【００４７】
無線信号の強度が閾値よりも大きい場合、モニターリング機器は、受信した無線信号に対して解析を行い、当該無線信号に付された外部機器の機器マークを取得する。
【００４８】
例えば、当該無線信号がブルートゥース信号である場合、モニターリング機器は、受信したブルートゥース信号に対して解析を行い、デジタル信号を得、且つ当該デジタル信号から外部機器の機器マークを抽出し、当該機器マークは、外部機器におけるブルートゥースモジュールのＭＡＣ（Ｍｅｄｉａ  Ａｃｃｅｓｓ  Ｃｏｎｔｒｏｌ）アドレスであってもよい。
【００４９】
モニターリング機器が外部機器の機器マークを取得した後、当該機器マークと、予め記憶されたバインディングしたウェアラブルデバイスの機器マークとが一致するか否かを検出する。当該機器マークと予め記憶されたバインディングしたウェアラブルデバイスの機器マークとが一致した場合、モニターリング機器は、当該外部機器がバインディングしたウェアラブルデバイスであると特定し、ステップ２０５を実行する。当該機器マークと予め記憶されたバインディングしたウェアラブルデバイスの機器マークとが一致しない場合、モニターリング機器は、当該外部機器がバインディングしたウェアラブルデバイスでないと特定し、ステップ２０６を実行する。
【００５０】
ステップ２０５において、機器マークとウェアラブルデバイスの機器マークとが同じである場合、ビデオモニターリングを停止する。
【００５１】
外部機器の機器マークとバインディングしたウェアラブルデバイスの機器マークとが同じである場合、モニターリング機器は、予めバインディングされたウェアラブルデバイスを持っているユーザがモニターリング範囲内にいることを特定し、モニターリング機器でビデオモニターリングを停止しようとする。
【００５２】
例えば、図２Ｂに示すように、当該ウェアラブルデバイスがスマート腕輪を例として挙げると、モニターリング機器２１は、スマート腕輪２２とバインディング関係を予め構築し、且つスマート腕輪２２は、この機器マークを付したブルートゥース信号をブルートゥース信号の形で外へ絶えず送信し、モニターリング機器２１が、受信した、当該スマート腕輪２２から送信されたブルートゥース信号の強度に対して検出し、当該強度が閾値よりも大きいことを検出した場合、ブルートゥース信号に対して解析を行い、その中に付された機器マークを取得する。当該スマート腕輪２２の機器マークが予め記憶されたため、モニターリング機器２１は、予めバインディングされたウェアラブルデバイスを持っているユーザがモニターリング範囲内にいることを特定することができ、モニターリング機器２１でビデオモニターリングを停止しようとする。
【００５３】
説明すべきことは、モニターリング機器は、ビデオモニターリングを停止した後、受信した無線信号の強度を検出して続けようとし、当該強度が閾値よりも小さい場合、モニターリング機器は、当該外部機器がモニターリング範囲内から離れていることを認識することになり、改めてビデオモニターリングを行う。
【００５４】
ステップ２０６において、機器マークとウェアラブルデバイスの機器マークとが異なることを検出した場合、ビデオモニターリングを行う。
【００５５】
外部機器の機器マークとバインディングしたウェアラブルデバイスの機器マークとが異なる場合、モニターリング機器は、当該外部機器がバインディングしたウェアラブルデバイスでないと特定し、ビデオモニターリングを続け、且つビデオレコーディングを行い、レコーディングされたビデオを、サーバーへアップロードしたり、記憶機器に保存したりする。
【００５６】
ステップ２０７において、無線信号の強度が閾値よりも小さいことを検出した場合、ビデオモニターリングを行う。
【００５７】
受信した無線信号の強度が閾値よりも小さいことを検出した場合、モニターリング機器は、外部機器がモニターリング範囲内にないと認識することになり、モニターリング機器でビデオモニターリングを続ける。
【００５８】
上記を纏めて言えば、当該例示的実施例により提供されたビデオモニターリング方法では、外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００５９】
当該例示的な実施例では、さらにモニターリング機器により受信した、外部機器から送信された無線信号の強度に対して検出を行い、当該強度が閾値よりも小さい場合、外部機器がモニターリング範囲内にないことを認識することになり、ビデオモニターリングを続けて行い、当該強度が閾値よりも大きい場合、無線信号に付された機器マークを検出し、検出結果に基づいてビデオモニターリングを行うか否かを特定し、モニターリング機器がバインディングしたウェアラブルデバイスを検出した場合、当該ウェアラブルデバイスがモニターリング範囲内にない時にもモニターリング機器がビデオモニターリングを停止するようになる問題を解决した。
【００６０】
上記の実施例により提供されたビデオモニターリング方法では、ステップ２０１は、下記の２つの可能な実現形態を含んでもよい。
【００６１】
第１の可能な実現形態では、図２Ｃに示すように、ステップ２０１は、ステップ２０１ａ〜ステップ２０１ｃを含んでもよい。
【００６２】
ステップ２０１ａにおいて、モニターリング機器は、サーバーへモニターリング機器の機器マークを送信し、当該サーバーは、モニターリング機器の機器マークに基づいて、モニターリング機器と同一のユーザアカウントをバインディングしたウェアラブルデバイスの機器マークを検索するために用いられる。
【００６３】
モニターリング機器は、サーバーへモニターリング機器の機器マークを送信し、当該機器マークは、モニターリング機器におけるブルートゥースモジュールのＭＡＣアドレスであってもよい。サーバーは、受信したモニターリング機器から送信された機器マークに基づいて、予め記憶されたモニターリング機器とユーザアカウントとのバインディング関係表から、当該モニターリング機器のバインディングしたユーザアカウント情報を検索する。当該モニターリング機器の機器マークがブルートゥースモジュールのＭＡＣアドレスであることを例にして、当該モニターリング機器とユーザアカウントとのバインディング関係表の表構造は、表１に示すようにとしてもよい。
【００６４】
【表１】
2017506865.tif 000015
サーバーは、モニターリング機器の機器マークに基づいて対応のユーザアカウントを検索し、且つ当該ユーザアカウント情報に基づいてバインディングしたウェアラブルデバイスの機器マークを検索し、当該ウェアラブルデバイスの機器マークは、ウェアラブルデバイスにおけるブルートゥースモジュールのＭＡＣアドレスであってもよい。その中でも、サーバーにおいて、ウェアラブルデバイスとユーザアカウントとのバインディング関係表が記憶され、当該ウェアラブルデバイスと、ユーザアカウントとのバインディング関係表の表構造は、表２に示すようにとしてもよい。
【００６５】
【表２】
2017506865.tif 000016
例えば、モニターリング機器によりサーバーへ送信したモニターリング機器の機器マークが「００：１１：２２：３３：ＡＡ：ＢＢ」である場合、サーバーは、当該モニターリング機器と同一のユーザアカウントをバインディングしたウェアラブルデバイスの機器マークが「００：１１：２２：３３：ＡＡ：ＣＣ」であることを検索した。
【００６６】
説明すべきことは、同一ユーザアカウントは、複数のウェアラブルデバイスとバインディングしてもよく、複数のモニターリング機器とバインディングしてもよく、これらに対して、本発明は限定しない。
【００６７】
ステップ２０１ｂにおいて、モニターリング機器は、サーバーから送信されたウェアラブルデバイスの機器マークを受信する。
【００６８】
サーバーは、ウェアラブルデバイスの機器マークを検索した後、モニターリング機器へ当該ウェアラブルデバイスの機器マークを送信し、それに対応して、モニターリング機器は、当該ウェアラブルデバイスの機器マークを受信する。
【００６９】
例えば、図２Ｄに示すように、モニターリング機器２１は、接続しているルーター２３によりサーバー２４へモニターリング機器２１におけるブルートゥースモジュールのＭＡＣアドレスを送信し、サーバー２４は、当該ブルートゥースモジュールのＭＡＣアドレスに基づいて、モニターリング機器２１と同一のユーザアカウントをバインディングしたウェアラブルデバイスにおけるブルートゥースモジュールのＭＡＣアドレスを検索した上で、検索されたウェアラブルデバイスにおけるブルートゥースモジュールのＭＡＣアドレスを、モニターリング機器２１へ送信する。
【００７０】
ステップ２０１ｃにおいて、モニターリング機器は、ウェアラブルデバイスの機器マークを、バインディングしたウェアラブルデバイスの機器マークとして記憶させる。
【００７１】
モニターリング機器は、受信されたウェアラブルデバイスの機器マークを、バインディングしたウェアラブルデバイスの機器マークとして特定し、且つ記憶させる。
【００７２】
第２の可能な実現形態では、図２Ｅに示すように、ステップ２０１は、ステップ２０１Ａ及びステップ２０１Ｂを含んでもよい。
【００７３】
ステップ２０１Ａにおいて、モニターリング機器は、モバイル端末から送信されるバインディング情報を受信し、当該バインディング情報は、少なくとも１つのウェアラブルデバイスの機器マークを含み、当該バインディング情報は、モバイル端末がバインディング関係の設定インターフェースに受信された設定操作に基づいて送信された。
【００７４】
モバイル端末は、ブルートゥースによりモニターリング機器と接続され、且つユーザがバインディング関係設定インターフェースに入力したウェアラブルデバイスの機器マークを受信し、当該ウェアラブルデバイスの機器マークを当該モニターリング機器に送信することができ、それに対応して、モニターリング機器は、当該ウェアラブルデバイスの機器マークを受信する。
【００７５】
ステップ２０１Ｂにおいて、モニターリング機器は、ウェアラブルデバイスの機器マークを、バインディングしたウェアラブルデバイスの機器マークとして記憶させる。
【００７６】
例えば、図２Ｆに示すように、ユーザがモバイル端末２５にインストールされたモニターリング機器管理ソフトウェアを実行し、且つモニターリング機器２１とのブルートゥース接続を構築する。モバイル端末２５は、ウェアラブルデバイスにおけるブルートゥースモジュールのＭＡＣアドレスを取得した後、バインディング関係設定インターフェース２６にカメラ標識２７を表示してユーザにより選択し、且つユーザの選択に基づいて、ブルートゥースモジュールのＭＡＣアドレスをモニターリング機器２１へ送信し、モニターリング機器２１は、当該ブルートゥースモジュールのＭＡＣアドレスを、バインディングしたウェアラブルデバイスの機器マークとして特定する。
【００７７】
説明すべきことは、ユーザは、ユーザアカウントを用いてモニターリング機器管理ソフトウェアをログインすることができ、モニターリング機器を検索した後、当該ユーザアカウントをバインディングしたウェアラブルデバイスの機器マークを、自動的にモニターリング機器まで送信し、モニターリング機器では、当該ウェアラブルデバイスの機器マークを受信し、且つ記憶する。
【００７８】
以下は、本発明に係る装置の実施例であり、本発明に係る方法の実施例を実行するために用いられてもよい。本発明に係る装置の実施例に記載されない詳細について、本発明に係る方法の実施例を参照することができる。
【００７９】
図３は、別の例示的な実施例に係るビデオモニターリング装置の構成を示すブロック図であり、当該ビデオモニターリング装置は、ソフトウェア、ハードウェア又は両方の組み合わせにより、モニターリング機器の一部又は全部となるように実現されることができる。当該ビデオモニターリング装置は、
外部機器から送信された無線信号を受信するように配置される信号受信モジュール３０２と、
信号受信モジュール３０２で受信された無線信号に付された機器マークと、バインディングしたウェアラブルデバイスの機器マークとが同じであるか否かを検出するように配置されるマーク検出モジュール３０４と、
マーク検出モジュール３０４が機器マークと当該ウェアラブルデバイスの機器マークとが同じであることを検出した場合、ビデオモニターリングを停止するように配置されるモニターリング停止モジュール３０６と、を備えてもよい。
【００８０】
上記を纏めて言えば、当該例示的実施例により提供されたビデオモニターリング装置では、外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００８１】
図４は、別の例示的な実施例に係るビデオモニターリング装置の構成を示すブロック図であり、当該ビデオモニターリング装置は、ソフトウェア、ハードウェア又は両方の組み合わせにより、モニターリング機器の一部又は全部となるように実現されることができる。当該ビデオモニターリング装置は、
外部機器から送信された無線信号を受信するように配置される信号受信モジュール４０２と、
信号受信モジュール４０２で受信された無線信号に付された機器マークと、バインディングしたウェアラブルデバイスの機器マークとが同じであるか否かを検出するように配置されるマーク検出モジュール４０４と、
マーク検出モジュール４０４が機器マークとウェアラブルデバイスの機器マークとが同じであることを検出した場合、ビデオモニターリングを停止するように配置されるモニターリング停止モジュール４０６と、を備えてもよい。
【００８２】
好ましくは、マーク検出モジュール４０４は、
信号受信モジュールで受信された無線信号の強度が閾値よりも大きいか否か検出するように配置される閾値検出サブモジュール４０４ａと、
閾値検出サブモジュールにより、無線信号の強度が閾値よりも大きいことを検出した場合、無線信号に付された機器マークとバインディングしたウェアラブルデバイスの機器マークとが同じであるか否かを検出するように配置されるマーク検出サブモジュール４０４ｂと、を備える。
【００８３】
好ましくは、当該装置は、
マーク検出モジュール４０４により、機器マークとウェアラブルデバイスの機器マークとが異なることを検出した場合、ビデオモニターリングを行うように配置される第１のモニターリングモジュール４０７、
又は
マーク検出モジュール４０４により、無線信号の強度が閾値よりも小さいことを検出した場合、ビデオモニターリングを行うように配置される第２のモニターリングモジュール４０８をさらに備える。
【００８４】
好ましくは、当該装置は、
ウェアラブルデバイスとバインディング関係を予め構築するように配置されるバインディング構築モジュール４０９をさらに備える。
【００８５】
好ましくは、バインディング構築モジュール４０９は、
サーバーへモニターリング機器の機器マークを送信し、当該サーバーは、モニターリング機器の機器マークに基づいて、モニターリング機器と同一ユーザのアカウントをバインディングしたウェアラブルデバイスの機器マークを検索するために用いられるように配置されるマーク送信サブモジュール４０９ａと、
サーバーから送信されたウェアラブルデバイスの機器マークを受信するように配置されるマーク受信サブモジュール４０９ｂと、
情報受信サブモジュール４０９ｂで受信されたウェアラブルデバイスの機器マークを、バインディングしたウェアラブルデバイスの機器マークとして記憶させるように配置される第1の記憶サブモジュール４０９ｃと、を備える。
【００８６】
好ましくは、バインディング構築モジュール４０９は、
モバイル端末から送信されるバインディング情報を受信し、当該バインディング情報は、少なくとも１つのウェアラブルデバイスの機器マークを含み、当該バインディング情報は、モバイル端末によりバインディング関係の設定インターフェースに受信された設定操作に基づいて送信されたように配置される情報受信サブモジュール４０９ｄと、
情報受信サブモジュール４０９ｄで受信されたウェアラブルデバイスの機器マークを、バインディングしたウェアラブルデバイスの機器マークとして記憶させるように配置される第２の記憶サブモジュール４０９ｅと、を備える。
【００８７】
上記を纏めて言えば、当該例示的実施例により提供されたビデオモニターリング装置では、外部機器から送信された無線信号を受信し、無線信号に付された機器マークとバインディングしたウェアラブルデバイスの機器マークとが同じであるか否かを検出し、機器マークと当該ウェアラブルデバイスの機器マークとが同じである場合、ビデオモニターリングを停止することにより、モニターリング機器を一旦オンすると、ユーザが家にいる時にも、モニターリング機器が依然としてレコーディングされたビデオをサーバーにアップロードすることになり、ユーザのプライバシーを侵害させてしまう恐れがある問題を解決し、モニターリング機器は、付近にバインディングしたウェアラブルデバイスが存在することを検出した場合、ビデオモニターリングを自動的に停止させて、ユーザのプライバシーを保護する効果に達した。
【００８８】
当該例示的な実施例では、さらにモニターリング機器により受信した、外部機器から送信された無線信号の強度に対して検出を行い、当該強度が閾値よりも小さい場合、外部機器がモニターリング範囲内にないことを認識することになり、ビデオモニターリングを続けて行い、当該強度が閾値よりも大きい場合、無線信号に付された機器マークを検出し、検出結果に基づいてビデオモニターリングを行うか否かを特定し、モニターリング機器がバインディングしたウェアラブルデバイスを検出した場合、当該ウェアラブルデバイスがモニターリング範囲内にない時にもモニターリング機器がビデオモニターリングを停止するようになる問題を解决した。
【００８９】
上記の実施例に係る装置について、各ユニットが操作を実行する具体的な形態は、すでに該当する方法に係る実施例において詳細に記載され、ここで、詳細に説明しない。
【００９０】
図５は、例示的な実施例に係るビデオモニターリング装置の１つを示すブロック図である。例えば、ビデオモニターリング装置５００は、一定の計算能力を持っているスマートカメラであってもよい。
【００９１】
図５に示すように、ビデオモニターリング装置５００は、プロセスアセンブリ５０２、メモリ５０４、電源アセンブリ５０６、マルチメディアアセンブリ５０８、オーディオアセンブリ５１０、センサアセンブリ５１４、及び通信アセンブリ５１６のような１つ以上のアセンブリを備える。
【００９２】
プロセスアセンブリ５０２は、一般的には装置５００全体の操作を制御するものであり、例えば、ビデオモニターリングと関連する操作を制御する。プロセスアセンブリ５０２は、１つ以上のプロセッサ５２０を含み、これらによって指令を実行することにより、上記の方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。
【００９３】
メモリ５０４は、各種類のデータを記憶することにより装置５００の操作を支援するように構成される。これらのデータの例は、装置５００において操作されるためのいずれのアプリケーションプログラム又は方法の指令を含む。メモリ５０４は、いずれの種類の揮発性メモリ、不揮発性メモリ記憶デバイス又はそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスクである。
【００９４】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連する他のアセンブリを含んでもよい。
【００９５】
マルチメディアアセンブリ５０８は、少なくとも一つのカメラを備える。装置５００が、撮影モード、或いはビデオモードにある場合、カメラは外部からマルチメディアデータを受信できる。カメラは、一つの固定型の光レンズ系、或いは可変焦点距離と光学ズーム機能を有するものであってもよい。
【００９６】
オーディオアセンブリ５１０は、オーディオ信号を入出力するように構成されてもよい。例えば、オーディオアセンブリ５１０は、一つのマイク（ＭＩＣ）を含み、外部のオーディオ信号を受信することができる。受信されたオーディオ信号は、さらにメモリ５０４に記憶されたり、通信アセンブリ５１６を介して送信されたりされる。上記の実施例において、オーディオアセンブリ５１０は、オーディオ信号を出力するための一つのスピーカーをさらに含む。
【００９７】
センサアセンブリ５１４は、装置５００に各方面の状態に対する評価を提供するための一つ以上のセンサを含む。センサアセンブリ５１４は、さらに、装置５００、或いは装置５００の一つのアセンブリの位置変更、ユーザと装置５００とが接触しているか否か、装置５００の方位、又は加速／減速、及び装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤイメージセンサのような光センサを含んでもよい。上記の実施例において、当該センサアセンブリ５１４は、加速度センサ、ジャイロスコープセンサ、磁気センサ、圧力センサ、及び温度センサをさらに含んでもよい。
【００９８】
通信アセンブリ５１６は、装置５００と他の機器の間に有線、又は無線形態の通信を提供する。装置５００は、例えばＷｉＦｉのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、通信アセンブリ５１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００９９】
例示的な実施例では、さらに、指令を含むコンピュータ読み取り可能な非一時的な記憶媒体、例えば、指令を含むメモリ５０４を提供しており、装置５００のプロセッサ５１８により前記指令を実行して、モニターリング機器を実行本体としたビデオモニターリング方法を実現する。例えば、コンピュータ読み取り可能な非一時的な記憶媒体は、ＲＯＭ、ＲＡＭ、ＣＤ−ＲＯＭ、磁気テープ、フロッピーディスク（登録商標）、及び光データ記憶デバイスなどであってもよい。
【０１００】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１０１】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０１０２】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１０３】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【０１０４】
本願は、出願番号がＣＮ２０１４１０８５２３０１．７であって、出願日が２０１４年１２月３１日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
外部機器から送信された無線信号を受信するステップと、
前記無線信号に付された機器マークと、バインディングしたウェアラブルデバイスの機器マークとが同じであるか否かを検出するステップと、
前記機器マークと前記ウェアラブルデバイスの機器マークとが同じである場合、ビデオモニターリングを停止するステップと、を含むことを特徴とする、
ビデオモニターリング方法。
【請求項２】
前記無線信号に付された機器マークと、バインディングしたウェアラブルデバイスの機器マークとが同じであるか否かを検出するステップは、
前記無線信号の強度が閾値よりも大きいか否かを検出するステップと、
前記無線信号の強度が前記閾値よりも大きい場合、前記無線信号に付された機器マークとバインディングしたウェアラブルデバイスの機器マークとが同じであるか否かを検出するステップと、を含むことを特徴とする、
請求項１に記載の方法。
【請求項３】
前記機器マークと前記ウェアラブルデバイスの機器マークとが異なることを検出した場合、ビデオモニターリングを行うステップ、
又は、
前記無線信号の強度が前記閾値よりも小さいことを検出した場合、ビデオモニターリングを行うステップをさらに含むことを特徴とする、
請求項２に記載の方法。
【請求項４】
前記ウェアラブルデバイスとバインディング関係を予め構築するステップを、さらに含むことを特徴とする、請求項１〜３のいずれか１項に記載の方法。
【請求項５】
前記ウェアラブルデバイスとバインディング関係を予め構築するステップは、
サーバーへモニターリング機器の機器マークを送信し、前記サーバーは、前記モニターリング機器の機器マークに基づいて、前記モニターリング機器と同一のユーザのアカウントをバインディングした前記ウェアラブルデバイスの機器マークを検索するために用いられるステップと、
前記サーバーから送信された前記ウェアラブルデバイスの機器マークを受信するステップと、
前記ウェアラブルデバイスの機器マークを前記バインディングしたウェアラブルデバイスの機器マークとして記憶させるステップとを含むことを特徴とする、
請求項４に記載の方法。
【請求項６】
前記ウェアラブルデバイスとバインディング関係を予め構築するステップは、
モバイル端末から送信されるバインディング情報を受信し、前記バインディング情報は、少なくとも１つの前記ウェアラブルデバイスの機器マークを含み、前記バインディング情報は、前記モバイル端末によりバインディング関係の設定インターフェースに受信された設定操作に基づいて送信されたステップと、
前記ウェアラブルデバイスの機器マークを前記バインディングしたウェアラブルデバイスの機器マークとして記憶させるステップと、を含むことを特徴とする、
請求項４に記載の方法。
【請求項７】
外部機器から送信された無線信号を受信するように配置される信号受信モジュールと、
前記信号受信モジュールで受信された前記無線信号に付された機器マークと、バインディングしたウェアラブルデバイスの機器マークとが同じであるか否かを検出するように配置されるマーク検出モジュールと、
前記マーク検出モジュールが前記機器マークと前記ウェアラブルデバイスの機器マークとが同じであることを検出した場合、ビデオモニターリングを停止するように配置されるモニターリング停止モジュールと、を備えることを特徴とする、
ビデオモニターリング装置。
【請求項８】
前記マーク検出モジュールは、
前記信号受信モジュールで受信された前記無線信号の強度が閾値よりも大きいか否か検出するように配置される閾値検出サブモジュールと、
前記閾値検出サブモジュールにより、前記無線信号の強度が前記閾値よりも大きいことを検出した場合、前記無線信号に付された機器マークとバインディングしたウェアラブルデバイスの機器マークとが同じであるか否かを検出するように配置されるマーク検出サブモジュールと、を備えることを特徴とする、
請求項７に記載の装置。
【請求項９】
前記マーク検出モジュールが前記機器マークと前記ウェアラブルデバイスの機器マークとが異なることを検出した場合、ビデオモニターリングを行うように配置される第１のモニターリングモジュール、
又は、
前記マーク検出モジュールにより、前記無線信号の強度が前記閾値よりも小さいことを検出した場合、ビデオモニターリングを行うように配置される第２のモニターリングモジュールをさらに備えることを特徴とする、
請求項８に記載の装置。
【請求項１０】
前記ウェアラブルデバイスとバインディング関係を予め構築するように配置されるバインディング構築モジュールを、さらに備えることを特徴とする、
請求項７〜９のいずれか１項に記載の装置。
【請求項１１】
前記バインディング構築モジュールは、
サーバーへモニターリング機器の機器マークを送信し、前記サーバーは、前記モニターリング機器の機器マークに基づいて、前記モニターリング機器と同一のユーザのアカウントをバインディングした前記ウェアラブルデバイスの機器マークを検索するために用いられるように配置されるマーク送信サブモジュールと、
前記サーバーから送信された前記ウェアラブルデバイスの機器マークを受信するように配置されるマーク受信サブモジュールと、
前記マーク受信サブモジュールで受信された前記ウェアラブルデバイスの機器マークを、前記バインディングしたウェアラブルデバイスの機器マークとして記憶させるように配置される第１の記憶サブモジュールと、を備えることを特徴とする、
請求項１０に記載の装置。
【請求項１２】
前記バインディング構築モジュールは、
モバイル端末から送信されるバインディング情報を受信し、前記バインディング情報は、少なくとも１つの前記ウェアラブルデバイスの機器マークを含み、前記バインディング情報は、前記モバイル端末によりバインディング関係の設定インターフェースに受信された設定操作に基づいて送信されたように配置される情報受信サブモジュールと、
前記情報受信サブモジュールで受信された前記ウェアラブルデバイスの機器マークを、前記バインディングしたウェアラブルデバイスの機器マークとして記憶させるように配置される第２の記憶サブモジュールと、を備えることを特徴とする、
請求項１０に記載の装置。
【請求項１３】
プロセッサと、
前記プロセッサが実行可能な指令を記憶するためのメモリと、を備え、
前記プロセッサは、
外部機器から送信された無線信号を受信し、
前記無線信号に付された機器マークと、バインディングしたウェアラブルデバイスの機器マークとが同じであるか否かを検出し、
前記機器マークと前記ウェアラブルデバイスの機器マークとが同じである場合、ビデオモニターリングを停止するように配置されることを特徴とする、
ビデオモニターリング装置。
【請求項１４】
プロセッサに実行されることにより、請求項１〜６のいずれかに記載のビデオモニターリング方法を実現することを特徴とするプログラム。
【請求項１５】
請求項１４に記載のプログラムが記録された記録媒体。
【国際調査報告】
2017506865.tif 000017
2017506865.tif 000018
2017506865.tif 000019
2017506865.tif 000020